(57)【要約】  情報処理装置は、表示処理部と、通信処理部と、を備える。表示処理部は、切替受付部（Ｏｐ１）と選択受付部（Ｏｐ２）とを同じ画面（Ｆ）に同時に表示する。ここで、切替受付部（Ｏｐ１）は、信号処理装置からの信号の供給先となるスピーカの切替えを受け付ける。選択受付部（Ｏｐ２）は、切替受付部（Ｏｐ１）で受け付けられた切替えで選択されるスピーカの特性を最適化するか否かについての選択を受け付ける。通信処理部は、切替受付部（Ｏｐ１）及び選択受付部（Ｏｐ２）で受け付けられた各種設定のための指令を信号処理装置に送信する。
2018189819.tif 000002
【特許請求の範囲】
【請求項１】
信号処理装置からの信号の供給先となるスピーカの切替えを受け付ける切替受付部、及び、前記切替受付部で受け付けられた切替えで選択されるスピーカの特性を最適化するか否かについての選択を受け付ける選択受付部、を同じ画面に同時に表示する表示処理部と、
前記切替受付部及び前記選択受付部で受け付けられた各種設定のための指令を前記信号処理装置に送信する通信処理部と、
を備える、情報処理装置。
【請求項２】
前記表示処理部は、
前記スピーカの特性を最適化する選択が前記選択受付部で受け付けられたとき、最適化のための最適設定に含まれる少なくとも１つの詳細設定の変更を受け付ける詳細設定受付部を、前記切替受付部及び前記選択受付部を表示している同じ画面に表示し、
前記スピーカの特性を最適化しない選択が前記選択受付部で受け付けられたとき、前記画面において前記詳細設定受付部を非表示又は無効にする、請求項１に記載の情報処理装置。
【請求項３】
前記表示処理部は、ラウドネス補正を自動で行うか否かについての選択を受け付ける第２の選択受付部を、前記切替受付部及び前記選択受付部と共に同じ画面に同時に表示する、請求項１又は２に記載の情報処理装置。
【請求項４】
信号処理装置からの信号の供給先となるスピーカの切替えを受け付ける切替受付部、及び、前記切替受付部で受け付けられた切替えで選択されるスピーカの特性を最適化するか否かについての選択を受け付ける選択受付部、を同じ画面に同時に表示し、
前記切替受付部及び前記選択受付部で受け付けられた各種設定のための指令を前記信号処理装置に送信する、情報処理方法。
【請求項５】
信号処理装置からの信号の供給先となるスピーカの切替えを受け付ける切替受付部、及び、前記切替受付部で受け付けられた切替えで選択されるスピーカの特性を最適化するか否かについての選択を受け付ける選択受付部、を同じ画面に同時に表示する表示ステップと、
前記切替受付部及び前記選択受付部で受け付けられた各種設定のための指令を前記信号処理装置に送信する通信ステップと、
を情報処理装置に実行させる、プログラム。
【発明の詳細な説明】
【技術分野】
【０００１】
本発明の一実施形態は、アンプ等の信号処理装置で実行される各種処理の設定を行うためのユーザインタフェースに関する。
【背景技術】
【０００２】
ＡＶ（Audio  Visual）アンプには、当該アンプに接続された全てのスピーカを使って音を再生するものがある。又、ＨｉＦｉ（Hi  Fidelity）アンプには、再生する音源（例えば、クラシックやロック）等に応じてスピーカを切り替えて使用できるものがある。そして、スピーカ特性を測定し、その測定結果を用いてスピーカ特性を最適化する技術として、様々な手法が提案されている（例えば、特許文献１参照）。
【先行技術文献】
【特許文献】
【０００３】
【特許文献１】特開２０１５−８４５８４号公報
【発明の概要】
【発明が解決しようとする課題】
【０００４】
しかしながら、スピーカの切替えが可能なアンプに特許文献１等の最適化技術を適用したとしても、ユーザは、自身の好みに合わせて、アンプに設けられている詳細設定用のスイッチやツマミ等で微調整を行う場合がある。一方、ＨｉＦＩアンプでは、音質を重視するため、スイッチやツマミ等での微調整が可能な詳細設定が一部に限定されることが多い。そのため、ユーザにとっては、自身の好みに合わせたくても、その設定操作には限界があった。又、スイッチやツマミ等の操作は、スピーカの切替えごとに行う必要があり、ユーザに煩雑な操作を強いる。【０００５】
そこで本発明の一実施形態の目的は、スピーカの切替えごとにスピーカの特性を最適化するための操作を行い易くする情報処理装置を提供することである。
【課題を解決するための手段】
【０００６】
本発明の一実施形態に係る情報処理装置は、表示処理部と、通信処理部と、を備える。表示処理部は、切替受付部と選択受付部とを同じ画面に同時に表示する。ここで、切替受付部は、信号処理装置からの信号の供給先となるスピーカの切替えを受け付ける。選択受付部は、切替受付部で受け付けられた切替えで選択されるスピーカの特性を最適化するか否かについての選択を受け付ける。通信処理部は、切替受付部及び選択受付部で受け付けられた各種設定のための指令を信号処理装置に送信する。
【発明の効果】
【０００７】
本発明の一実施形態によれば、スピーカの切替えごとにスピーカの特性を最適化するための操作が、ユーザにとって行い易くなる。
【図面の簡単な説明】
【０００８】
【図１】図１は、第１実施形態に係る情報処理装置による操作が可能な信号処理装置の構成を概念的に示したブロック図である。
【図２】図２は、情報処理装置及び信号処理装置の適用例を示した概念図である。
【図３】図３は、信号処理装置で実行される、最適設定を取得するための処理を示したフローチャートである。
【図４】図４は、第１実施形態に係る情報処理装置の構成を概念的に示したブロック図である。
【図５】図５（Ａ）及び（Ｂ）は、情報処理装置にて表示される再生設定用の画面を示した概念図である。
【図６】図６は、第１実施形態での情報処理装置の制御部にて実行される情報処理を示したフローチャートである。
【図７】図７は、信号処理装置で実行される再生処理を示したフローチャートである。
【図８】図８（Ａ）及び（Ｂ）は、第２実施形態での再生設定用の画面を示した概念図である。
【発明を実施するための形態】
【０００９】
［１］第１実施形態
［１−１］信号処理装置の構成
図１は、第１実施形態に係る情報処理装置Ｚによる操作が可能な信号処理装置１の構成を概念的に示したブロック図である。又、図２は、情報処理装置Ｚ及び信号処理装置１の適用例を示した概念図である。図１に示される様に、信号処理装置１は、入力部１１と、取得部１２と、出力部１３と、切替実行部１４と、記憶部１５と、信号処理部１６と、操作受付部１７と、通信部１９と、これらを統括的に制御する制御部１８と、を備える。
【００１０】
入力部１１は、信号処理装置１へのオーディオ信号の入力に用いられるインタフェースである。ここで、信号処理装置１に入力されるオーディオ信号は、ＣＤプレーヤやＤＶＤプレーヤ、ＬＤプレーヤ等の読取装置（不図示）から入力されるオーディオ信号である。以下では、このオーディオ信号を、「入力オーディオ信号Ｓｉｎ」と称す。
【００１１】
具体的には、入力部１１は、ＨＤＭＩ（登録商標）（High-Definition  Multimedia  Interface）やＳ/ＰＤＩＦ（Sony  Philips  Digital  Interface）等、デジタルオーディオ信号の入力を受け付けるインタフェースを有する。当該インタフェースには、ＣＤプレーヤ等が接続される。入力部１１は更に、アナログオーディオ信号の入力を受け付けるインタフェースを有する。当該インタフェースには、ＬＤプレーヤ等が接続される。尚、入力部１１は、入力されたアナログオーディオ信号をデジタル信号に変換するＡＤＣ（Analog  to  Digital  Converter）を内蔵していてもよい。
【００１２】
取得部１２は、信号処理装置１への音声信号の入力を受け付けるインタフェースである。取得部１２にはマイク３（図２参照）が接続され、マイク３に入力された音声は、当該マイク３にて音声信号に変換されて取得部１２に入力される。尚、音声信号は、アナログ信号であってもデジタル信号であってもよい。音声信号がアナログ信号の場合、取得部１２は、音声信号をデジタル信号に変換するＡＤＣを内蔵していてもよい。
【００１３】
出力部１３は、スピーカへのオーディオ信号の出力に用いられるインタフェースである。ここで、スピーカに出力されるオーディオ信号は、後述する様に、信号処理部１６にて信号処理が施されたオーディオ信号である。以下では、このオーディオ信号を、「出力オーディオ信号Ｓｏｕｔ」と称す。
【００１４】
本実施形態では、出力部１３には、スピーカが接続される出力系統として、Ａ系統とＢ系統とが含まれている。一例として、Ａ系統には一対のスピーカ２１Ｌ及び２１Ｒが接続され、Ｂ系統には一対のスピーカ２２Ｌ及び２２Ｒが接続される。
【００１５】
切替実行部１４は、例えばスイッチ回路であり、Ａ系統及びＢ系統の中から信号処理部１６に接続するものを、制御部１８からの切替実行指令に従って選択的に切り替える。具体的には、切替実行部１４では、Ａ系統のみを選択する切替えと、Ｂ系統のみを選択する切替えと、Ａ系統及びＢ系統の何れをも選択する切替えと、の実行が可能である。
【００１６】
通信部１９は、情報処理装置Ｚとの通信を可能にするものであり、例えば、情報処理装置Ｚとの近距離無線通信を可能にする通信機や、ネットワーク経由での情報処理装置Ｚとの通信を可能にするインタフェース等である。通信部１９は、受信部を含み、情報処理装置Ｚからの各種指令を受信する。そして、スピーカを切り替えるための切替指令が、通信部１９を介して制御部１８に入力されることにより、制御部１８による切替実行部１４の制御を通じて、スピーカの切替えが行われる。尚、切替指令は、信号処理装置１の操作受付部１７から入力されてもよい。又、通信部１９は、各種信号を情報処理装置Ｚへ送信する送信部を含んでいてもよい。更に、通信部１９は、操作受付部１７の一部として構成されていてもよい。
【００１７】
そして、切替指令でＡ系統のみが選択された場合、当該Ａ系統に接続されている一対のスピーカ２１Ｌ及び２１Ｒのみが、出力オーディオ信号Ｓｏｕｔの供給先として用いられる。切替指令でＢ系統のみが選択された場合、当該Ｂ系統に接続されている一対のスピーカ２２Ｌ及び２２Ｒのみが、出力オーディオ信号Ｓｏｕｔの供給先として用いられる。切替指令でＡ系統及びＢ系統の両方が選択された場合、これらに接続されている全てのスピーカ２１Ｌ、２１Ｒ、２２Ｌ、及び２２Ｒが、出力オーディオ信号Ｓｏｕｔの供給先として用いられる。
【００１８】
即ち、出力オーディオ信号Ｓｏｕｔの供給先となるスピーカの切替えが、情報処理装置Ｚから入力される切替指令に従って、切替実行部１４にて実行される。
【００１９】
尚、切替実行部１４は、スイッチ回路に限らず、制御部１８の実行部として、ユーザからの切替指令に応じてスピーカの切替え（出力系統の切替え）を内部処理的に実行するものであってもよい。この様な実行部は、信号処理装置１からスピーカへ出力オーディオ信号Ｓｏｕｔを無線で供給する場合にも適用できる。
【００２０】
記憶部１５は、デフォルトの信号処理を実現するためのデフォルト設定Ｉｄをデータで記憶している。デフォルト設定Ｉｄは、例えば、スピーカの左右のバランスを均等にするための設定、周波数特性（Ｆ特）をフラットにするための設定等を含む。一例として、デフォルト設定Ｉｄは、歴代モデルのアンプ等からあまり変更せずに使用されてきた各種設定（歴代モデル仕様の設定）を含んだものである。
【００２１】
記憶部１５は更に、スピーカの切替え（Ａ系統のみ、Ｂ系統のみ、Ａ系統＋Ｂ系統）に対応付けて、最適設定Ｉａをデータで記憶している。ここで、最適設定Ｉａは、スピーカの切替えで選択されるスピーカの特性（スピーカ特性）を測定することで得られた測定結果に対応するものである。具体的には、最適設定Ｉａは、スピーカの切替えに応じてスピーカ特性を最適化するための各種設定（スピーカまでの距離の設定、音量レベルの設定、出力タイミング（ディレイ）の設定等）を含む。
【００２２】
本実施形態では、記憶部１５に記憶されたデフォルト設定Ｉｄ及び最適設定Ｉａは、スピーカ特性を最適化するか否かを選択するためのユーザからの選択指令が信号処理装置１で受け付けられることにより、当該選択指令に従って信号処理部１６により選択的に読み出される。選択指令は、情報処理装置Ｚにおいてユーザによって入力され、通信部１９を通じて信号処理装置１に入力される。尚、選択指令は、信号処理装置１の操作受付部１７から入力されてもよい。
【００２３】
又、記憶部１５に記憶された最適設定Ｉａは、書換えが可能である。具体的には、最適設定Ｉａを変更するためのユーザからの変更指令が信号処理装置１で受け付けられることにより、当該変更指令に従って、最適設定Ｉａが書き換えられる。変更指令は、情報処理装置Ｚにおいてユーザによって入力され、通信部１９を通じて信号処理装置１に入力される。尚、変更指令は、信号処理装置１の操作受付部１７から入力されてもよい。
【００２４】
記憶部１５に記憶するための最適設定Ｉａは、信号処理装置１によって以下の処理が実行されることで得られる。
【００２５】
図３は、最適設定Ｉａを取得するための処理を示したフローチャートである。当該処理は、取得部１２へのマイク３の接続を信号処理装置１が検知する、又は、ユーザから測定開始の指令を受け付けることで開始する。このとき、マイク３は、ユーザによって聴取位置Ｐａに設置される（図２参照）。当該制御処理の開始後、信号処理装置１は、スピーカの切替えで選択されているスピーカからテスト音を発すると共に、そのテスト音を聴取位置Ｐａにてマイク３で測定する（ステップＳ１１）。次に、信号処理装置１は、測定で得られた信号を解析することにより、スピーカ特性を最適化するための各種設定を導出する（ステップＳ１２）。その後、信号処理装置１は、ステップＳ１２で導出した各種設定を最適設定Ｉａとして記憶部１５に記憶する（ステップＳ１３）。その後、信号処理装置１は、取得部１２からのマイク３の取外しを検知することで（ステップＳ１４）、最適設定Ｉａを取得するための処理が終了する。尚、この処理が全ての切替えについて実行されることにより、それぞれの切替えに対応する最適設定Ｉａの取得が完了したときに、処理が終了してもよい。尚、最適設定Ｉａを取得するための測定等の処理は、例えば情報処理装置Ｚを用いた遠隔操作で実行されてもよい。
【００２６】
信号処理部１６は、例えばＤＳＰ（Digital  Signal  Processor）であり、制御部１８からの読出し実行指令に従って、記憶部１５からデフォルト設定Ｉｄ及び最適設定Ｉａの何れかのデータを選択的に読み出す。そして、信号処理部１６は、読み出したデータを用いて入力オーディオ信号Ｓｉｎの信号処理を行う。
【００２７】
デフォルト設定Ｉｄを用いて入力オーディオ信号Ｓｉｎが処理された場合、デフォルト設定Ｉｄ内の各種設定が反映された出力オーディオ信号Ｓｏｕｔが得られる。そして、この出力オーディオ信号Ｓｏｕｔがスピーカに供給されることにより、デフォルトの音が出力される。又、最適設定Ｉａを用いて入力オーディオ信号Ｓｉｎが処理された場合、最適設定Ｉａ内の各種設定が反映された出力オーディオ信号Ｓｏｕｔが得られる。そして、この出力オーディオ信号Ｓｏｕｔがスピーカに供給されることにより、最適化された音が出力される。
【００２８】
操作受付部１７は、ユーザからの各種操作指令を受け付けるためのユーザインタフェースである。尚、操作受付部１７は、各種情報をユーザに提示するための表示部を含んでいてもよい。
【００２９】
制御部１８は、信号処理装置１を統括的に制御するものであり、ＣＰＵ（Central  Processing  Unit）やマイクロコンピュータ等の処理装置で構成される。本実施形態では、制御部１８は、操作受付部１７及び通信部１９で受け付けられた操作指令等に応じて、各種処理を実行する。尚、制御部１８が実行する処理は、これに対応するプログラムを制御部１８が実行することで実現される。そして、その様なプログラムは、読取り可能な記憶媒体（例えば、フラッシュメモリ等）に記憶されていてもよいし、記憶部１５に記憶されていてもよい。
【００３０】
尚、本発明におけるスピーカの切替えは、上述した態様に限らず、別の態様であってもよい。例えば、バイワイヤリング方式で接続されたスピーカの切替え、マルチチャンネル対応の信号処理装置１に接続されたスピーカの切替え、サブウーファを含めたスピーカの切替え等も、本発明におけるスピーカの切替えの一態様である。又、出力オーディオ信号Ｓｏｕｔを無線でスピーカに供給する構成におけるスピーカの切替えも一態様である。更に、２つのアンプに対するバイアンプとシングルアンプとの切替えも一態様である。
【００３１】
［１−２］情報処理装置の構成
情報処理装置Ｚは、信号処理装置１とは別の装置であり、信号処理装置１で実行される各種処理の設定（以下、「再生設定」と称す）を行うためのユーザインタフェースとして機能する。情報処理装置Ｚは、例えば、再生設定用のアプリケーションがインストールされたスマートフォン等の携帯端末機である。尚、情報処理装置Ｚは、リモートコントローラ等の専用端末であってもよい。
【００３２】
図４は、第１実施形態に係る情報処理装置Ｚの構成を概念的に示したブロック図である。図４に示される様に、情報処理装置Ｚは、表示部４１と、入力部４２と、通信部４３と、記憶部４４と、制御部４５と、を備える。
【００３３】
表示部４１は、例えば液晶パネルやＥＬパネル等の表示パネルであり、各種情報をユーザに提示する。
【００３４】
入力部４２は、表示部４１の画面上に形成されたタッチパネルであり、ユーザが指で触れたタッチパネル上の位置を検出する。入力部４２による位置の検出結果は制御部４５に供給され、制御部４５は、当該検出結果に応じたユーザからの操作指令（切替指令、変更指令、及び選択指令を含む）を受け付ける。尚、入力部４２は、操作ボタンや操作キー等の操作部を含んでいてもよい。
【００３５】
通信部４３は、信号処理装置１との通信を可能にするものであり、例えば、信号処理装置１との近距離無線通信を可能にする通信機や、ネットワーク経由での信号処理装置１との通信を可能にするインタフェースである。通信部４３は、送信部を含み、入力部４２が受け付けた各種指令（切替指令、選択指令、変更指令等）を信号処理装置１へ送信する。尚、通信部４３は、信号処理装置１からの各種信号を受信する受信部を含んでいてもよい。
【００３６】
制御部４５は、信号処理装置１を統括的に制御するものであり、ＣＰＵやマイクロコンピュータ等の処理装置で構成される。本実施形態では、制御部４５は、表示処理部４５１と、通信処理部４５２と、を含み、信号処理装置１のための再生設定用のユーザインタフェースとして情報処理装置Ｚを機能させる情報処理を実行する。尚、制御部４５が実行する情報処理は、これに対応するプログラムを制御部４５が実行することで実現される。そして、その様なプログラムは、読取り可能な記憶媒体（例えば、フラッシュメモリ等）に記憶されていてもよいし、記憶部４４に記憶されていてもよい。
【００３７】
図５（Ａ）及び（Ｂ）は、表示部４１に表示される再生設定用の画面Ｆを示した概念図である。図５（Ａ）及び（Ｂ）に示される様に、再生設定用のユーザインタフェースとして情報処理装置Ｚが機能している場合、表示部４１には、切替受付部Ｏｐ１及び選択受付部Ｏｐ２が同時に表示されると共に、詳細設定受付部Ｏｐ３が選択的に表示される。
【００３８】
切替受付部Ｏｐ１、選択受付部Ｏｐ２、及び詳細設定受付部Ｏｐ３は何れも、表示部４１に表示される操作子である。ここで、操作子は、表示部４１に表示された画面Ｆにおいて、スイッチ、ボタン、ツマミ、ダイアル等が画像で表示されたものであり、ユーザによる各種指令（切替指令、選択指令、変更指令等）の入力を可能にするものである。尚、操作子は、数字や文字等の入力を可能にしたものであってもよい。そして、操作子を構成する画像は、例えば、記憶部４４に記憶されており、制御部４５によって適宜読み出される。以下において、同様である。
【００３９】
切替受付部Ｏｐ１は、ユーザによる切替指令の入力に応じて、出力オーディオ信号Ｓｏｕｔの供給先となるスピーカの切替えを受け付ける（図５（Ａ）参照）。
【００４０】
選択受付部Ｏｐ２は、ユーザによる選択指令の入力に応じて、スピーカ特性を最適化するか否か（最適化「ＯＮ」又は「ＯＦＦ」）についての選択を受け付ける（図５（Ａ）参照）。具体的には、選択受付部Ｏｐ２は、信号処理部１６での出力オーディオ信号Ｓｏｕｔの処理において、切替受付部Ｏｐ１で受け付けられた切替えに対応付けられている最適設定Ｉａを用いるか否か、についての選択を受け付ける。
【００４１】
詳細設定受付部Ｏｐ３は、ユーザによる変更指令の入力に応じて、最適設定Ｉａに含まれる少なくとも１つの詳細設定についてのユーザによる変更を受け付ける（図５（Ｂ）参照）。ここで、最適設定Ｉａは、例えば、スピーカまでの距離の設定、音量レベルの設定、出力タイミング（ディレイ）の設定等、様々な詳細設定を含む。そして、ユーザによる各種詳細設定の変更を可能にする操作子が、詳細設定受付部Ｏｐ３として表示部４１に表示される。尚、図５（Ｂ）では、詳細設定受付部Ｏｐ３の例として、スピーカまでの距離の設定を変更するための操作子と、音量レベルの設定を変更するための操作子とが、示されている。
【００４２】
表示処理部４５１は、表示部４１を制御することにより、画面Ｆを表示すると共に、切替受付部Ｏｐ１、選択受付部Ｏｐ２、及び詳細設定受付部Ｏｐ３の各々で受け付けられた設定に応じて画面Ｆでの表示を変化させる。例えば、切替受付部Ｏｐ１（スピーカの切替え）において、「Ａ」から「Ｂ」や「Ａ＋Ｂ」等に表示を変化させる。選択受付部Ｏｐ２（最適化の選択）において、「ＯＦＦ」の選択から「ＯＮ」の選択に表示を変化させる。又、詳細設定受付部Ｏｐ３において、表示する数値を変化させる。尚、表示処理部４５１が行う表示処理（情報処理装置Ｚで実行される情報処理の一部）の詳細については後述する。
【００４３】
通信処理部４５２は、切替受付部Ｏｐ１、選択受付部Ｏｐ２、及び詳細設定受付部Ｏｐ３で受け付けられた各種設定のための操作指令を信号処理装置１に送信するための処理を行う。尚、通信処理部４５２が行う送信処理（情報処理装置Ｚで実行される情報処理の一部）の詳細については後述する。
【００４４】
［１−３］情報処理装置における制御
図６は、制御部４５にて実行される情報処理を示したフローチャートである。当該情報処理は、例えば、情報処理装置Ｚにインストールされている再生設定用のアプリケーションが起動されたときや、信号処理装置１から提供される再生設定用のアプリケーションが起動されたときに実行される。尚、以下の情報処理において、切替受付部Ｏｐ１、選択受付部Ｏｐ２、及び詳細設定受付部Ｏｐ３で受け付けられた各種設定のための操作指令は、受付けの都度、信号処理装置１に送信されてもよいし、例えばユーザから送信指令が入力されたときに纏めて送信されてもよい。
【００４５】
制御部４５において情報処理が開始されると、表示処理部４５１が、表示部４１を制御することにより、切替受付部Ｏｐ１と選択受付部Ｏｐ２とを同じ再生設定用の画面Ｆ（ユーザインタフェース）に同時に表示する（ステップＳ２１。図５（Ａ）参照）。このとき、表示処理部４５１は、画面Ｆ内の第１表示領域Ｒ１に、切替受付部Ｏｐ１及び選択受付部Ｏｐ２を表示する。ここで、第１表示領域Ｒ１は、画面Ｆにおいて、切替受付部Ｏｐ１等の操作子が常時表示される領域である。
【００４６】
一例として、表示処理部４５１は、画面Ｆ内の第１表示領域Ｒ１に選択受付部Ｏｐ２を表示するとき、当該選択受付部Ｏｐ２を、最適化「ＯＦＦ」が選択された状態で表示する。このとき、表示処理部４５１は、画面Ｆ内の第２表示領域Ｒ２において詳細設定受付部Ｏｐ３等を非表示にする（図５（Ａ）参照）。尚、表示処理部４５１は、第２表示領域Ｒ２において、詳細設定受付部Ｏｐ３を非表示にすることに代えて、詳細設定受付部Ｏｐ３を操作が無効の状態にしてもよい。ここで、第２表示領域Ｒ２は、画面Ｆにおいて、詳細設定受付部Ｏｐ３等の操作子の表示及び非表示（又は無効）の切替えが行われる領域である。
【００４７】
他の例として、表示処理部４５１は、画面Ｆ内の第１表示領域Ｒ１に選択受付部Ｏｐ２を表示するとき、当該選択受付部Ｏｐ２を、最適化「ＯＮ」が選択された状態で表示する。このとき、表示処理部４５１は、画面Ｆ内の第２表示領域Ｒ２に詳細設定受付部Ｏｐ３を表示する（図５（Ｂ）参照）。
【００４８】
次に、制御部４５は、選択受付部Ｏｐ２の操作が行われたとき、最適化「ＯＮ」への変更（「ＯＦＦ」→「ＯＮ」）、及び最適化「ＯＦＦ」への変更（「ＯＮ」→「ＯＦＦ」）、の何れの変更が行われたかを判断する（ステップＳ２２）。そして、制御部４５は、ステップＳ２２にて「最適化「ＯＮ」への変更が行われた（「ＯＦＦ」→「ＯＮ」）」と判断したとき、信号処理装置１に対し、情報処理装置Ｚへの最適設定Ｉａの転送を要求する（ステップＳ２３）。具体的には、通信処理部４５２が、通信部４３を通じて、転送要求信号を信号処理装置１に送信する。ここで、転送要求信号は、切替受付部Ｏｐ１においてどの切替えが受け付けられているのかを示す情報（切替情報）を含み、その切替情報が示す切替えに対応付けられている最適設定Ｉａを情報処理装置Ｚへ転送することを要求する信号である。
【００４９】
情報処理装置Ｚからの転送要求を信号処理装置１が受け付けると、当該信号処理装置１は、送信されてきた転送要求信号内の切替情報に対応する最適設定Ｉａを、記憶部１５から読み出して情報処理装置Ｚへ転送する。このとき、記憶部１５内に最適設定Ｉａがなかった場合、信号処理装置１は、その旨を情報処理装置Ｚへ通知する。
【００５０】
情報処理装置Ｚが、信号処理装置１から転送されてきた最適設定Ｉａを受信すると（ステップＳ２４で「Ｙｅｓ」の場合）、表示処理部４５１は、詳細設定受付部Ｏｐ３を、切替受付部Ｏｐ１及び選択受付部Ｏｐ２を表示している同じ画面Ｆに表示する（図５（Ｂ）参照）。このとき、表示処理部４５１は、転送されてきた最適設定Ｉａに含まれている各種詳細設定の内容を反映した状態で、詳細設定受付部Ｏｐ３を、画面Ｆ内の第２表示領域Ｒ２に表示する。
【００５１】
本実施形態では、第１表示領域Ｒ１及び第２表示領域Ｒ２は、画面Ｆ内において２つに区分けされた領域となっている。従って、画面Ｆにおいて、常時表示される操作子（切替受付部Ｏｐ１及び選択受付部Ｏｐ２）が第１表示領域Ｒ１に纏められ、且つ、表示及び非表示（又は無効）の切替えが行われる操作子（詳細設定受付部Ｏｐ３）が第２表示領域Ｒ２に纏められている。よって、再生設定用のユーザインタフェース（画面Ｆ）が、ユーザにとって見やすいものになっている。
【００５２】
ステップＳ２３（転送要求）の後、情報処理装置Ｚが、最適設定Ｉａがない旨の通知を信号処理装置１から受けた場合（ステップＳ２４で「Ｎｏ」の場合）、制御部４５は、ユーザに対して、最適設定Ｉａの取得が必要である旨の通知を行う（ステップＳ２５）。この通知は、例えば、表示部４１への通知内容の表示等によって行われる。
【００５３】
ステップＳ２２にて制御部４５が「最適化「ＯＦＦ」への変更が行われた（「ＯＮ」→「ＯＦＦ」）」と判断したときには、表示処理部４５１は、画面Ｆにおいて詳細設定受付部Ｏｐ３を非表示（又は無効）にする（図５（Ａ）参照）。
【００５４】
そして、ユーザが、画面Ｆにおいて各種設定の切替え、選択、及び変更等の操作を行うことにより、操作した内容が、ユーザからの操作指令（切替指令、変更指令、及び選択指令を含む）として、通信処理部４５２によって信号処理装置１に送信される。
【００５５】
情報処理装置Ｚから送信されてきた操作指令を信号処理装置１が受信すると、制御部１８は、操作指令に従って、各種設定を変更する。具体的には、制御部１８が、切替指令に従って、切替実行部１４にスピーカの切替えを実行させる。又、制御部１８は、選択指令に従って、記憶部１５に記憶されているデフォルト設定Ｉｄ及び最適設定Ｉａの何れを信号処理部１６に読み出させるかを判断する。更に、制御部１８は、変更指令に従って、記憶部１５内の最適設定Ｉａを書き換える。具体的には、制御部１８は、最適設定Ｉａ内の各種詳細設定を、変更指令で指示された内容に書き換える。
【００５６】
本実施形態の情報処理装置Ｚによれば、切替受付部Ｏｐ１及び選択受付部Ｏｐ２が同じ再生設定用の画面Ｆ（ユーザインタフェース）に纏めて表示される。よって、ユーザにとって、スピーカを切り替えるための切替指令の入力（切替受付部Ｏｐ１からの入力）と、スピーカ特性を最適化するか否かを選択するための選択指令の入力（選択受付部Ｏｐ２からの入力）と、を１つの画面Ｆで簡単に行うことが可能になる。
【００５７】
更に、選択指令の入力により、最適化「ＯＮ」の選択が選択受付部Ｏｐ２で受け付けられたときには、詳細設定受付部Ｏｐ３が、切替受付部Ｏｐ１及び選択受付部Ｏｐ２が表示されている同じ画面Ｆに表示される。従って、ユーザは、画面を変更せずに、最適設定Ｉａに含まれる詳細設定を変更することができる。よって、スピーカの切替えごとにスピーカの特性を最適化するための操作が、ユーザにとって行い易くなる。
【００５８】
［１−４］信号処理装置における制御
図７は、信号処理装置１で実行される再生処理を示したフローチャートである。再生処理は、操作指令（切替指令、選択指令、及び変更指令を含む）が情報処理装置Ｚから入力されたタイミングで開始される。尚、信号処理装置１に電力が供給されたとき（電源オン時）、取得部１２からマイク３が取り外されたとき、等のタイミングでは、図７において、ステップＳ３１を経ずに、ステップＳ３２又はＳ３３が実行されてもよい。又、取得部１２にマイク３が接続された状態で信号処理装置１に電力が供給されたときには、再生処理を実行する前に、上述した最適設定Ｉａを取得するための処理が実行されてもよい。
【００５９】
再生処理が開始されると、制御部１８は、選択指令に従って、スピーカ特性を最適化するか否かを判断する（ステップＳ３１）。そして、制御部１８は、ステップＳ３１にて「最適化する（Ｙｅｓ）」と判断したとき、信号処理部１６に、切替指令が示すスピーカの切替えに対応付けられている最適設定Ｉａを、記憶部１５から読み出させる（ステップＳ３２）。一方、制御部１８は、ステップＳ３１にて「最適化しない（Ｎｏ）」と判断したときには、信号処理部１６に、デフォルト設定Ｉｄを記憶部１５から読み出させる（ステップＳ３３）。
【００６０】
その後、信号処理部１６は、入力されてくる入力オーディオ信号Ｓｉｎの信号処理を実行する（ステップＳ３４）。これにより、信号処理部１６は、記憶部１５から読出し済みのデータ（デフォルト設定Ｉｄ又は最適設定Ｉａ）を用いて、入力オーディオ信号Ｓｉｎの信号処理を行う。そして、随時、信号処理によって得られる出力オーディオ信号Ｓｏｕｔを、切替実行部１４を通じて接続されている出力系統へ供給する。
【００６１】
この様な再生処理によれば、制御部１８は、切替受付部Ｏｐ１での受付けが可能なスピーカの切替えのそれぞれにおいて、対応する最適設定Ｉａの取得（図３参照）を一旦実行した後は、最適設定Ｉａを変更するための変更指令等（本実施形態では、取得部１２へのマイク３の接続）を受け付けない限り、信号処理部１６には、記憶部１５に記憶されている同じ最適設定Ｉａを用いて信号処理を実行させる。よって、スピーカの切替えに応じて、当該切替えで選択されるスピーカの特性（スピーカ特性）を自動で最適化することが可能になる。
【００６２】
又、信号処理装置１において最適設定Ｉａが取得された後でも、何ら変更の加えられてないデフォルト設定Ｉｄに戻して音を再生することが可能になる。即ち、ユーザは、音の再生時において、最適化された音の出力と、デフォルトの音の出力と、を選択することが可能になる。
【００６３】
［２］第２実施形態
図８（Ａ）及び（Ｂ）は、第２実施形態において、表示部４１に表示される再生設定用の画面Ｆを示した概念図である。図８（Ａ）及び（Ｂ）に示される様に、情報処理装置Ｚは、再生設定用の画面Ｆ（ユーザインタフェース）に第２の選択受付部Ｏｐ４を更に表示するものであってもよい。
【００６４】
第２の選択受付部Ｏｐ４は、表示部４１に表示される操作子の１つであり、ユーザによる選択指令の入力に応じて、ラウドネス補正を自動で行うか否か（自動ラウドネス「ＯＮ」又は「ＯＦＦ」）についての選択（即ち、自動か手動の選択）を受け付ける。ここで、ラウドネス補正は、例えば、等ラウドネス曲線（ＩＳＯ２２６：２００３）を基準とした周波数特性を実現するためのものであり、中音域成分と高音域成分又は低音域成分との音圧レベルの差が大きくなる様にラウドネス補正値（ラウドネスボリューム）が調整される。例えば、ラウドネス補正値が０ｄＢである場合、周波数特性はフラットであり、ラウドネス補正値が小さくなるほど、中音域成分の音圧レベルが低下して低音域成分又は高音域成分の音圧レベルとの差が大きくなる。
【００６５】
本実施形態では、制御部４５において情報処理が開始されると、表示処理部４５１は、表示部４１を制御することにより、第２の選択受付部Ｏｐ４を、切替受付部Ｏｐ１及び選択受付部Ｏｐ２と共に画面Ｆ内の第１表示領域Ｒ１に同時に表示する。
【００６６】
表示処理部４５１は、情報処理の開始時にて選択受付部Ｏｐ２を最適化「ＯＦＦ」の状態で表示するとき、又は、ユーザによる選択指令に応じて選択受付部Ｏｐ２の表示を「ＯＮ」から「ＯＦＦ」に変化させるとき、同じ第１表示領域Ｒ１内において、第２の選択受付部Ｏｐ４の表示を、自動ラウドネス「ＯＦＦ」に固定する（即ち、自動ラウドネス「ＯＮ」への変更を不能する。図８（Ａ）参照）。
【００６７】
又、表示処理部４５１は、情報処理の開始時にて選択受付部Ｏｐ２を最適化「ＯＮ」の状態で表示するとき、又は、ユーザによる選択指令に応じて選択受付部Ｏｐ２の表示を「ＯＦＦ」から「ＯＮ」に変化させるとき、同じ第１表示領域Ｒ１内において、第２の選択受付部Ｏｐ４を、自動ラウドネス「ＯＮ」又は「ＯＦＦ」の選択が可能な状態で表示する（図８（Ｂ）参照）。
【００６８】
図８（Ａ）及び（Ｂ）に示された何れの画面Ｆにおいても、第２の選択受付部Ｏｐ４にて自動ラウドネス「ＯＦＦ」が選択されたとき、手動でのラウドネス補正値の調整が有効になる。例えば、信号処理装置１において、操作受付部１７（例えば、ラウドネスボリューム調整用のダイアル等）の操作が有効になる。尚、手動でのラウドネス補正値の調整は、情報処理装置Ｚにおいて、画面Ｆ又は別の画面で行われてもよい。
【００６９】
一方、図８（Ｂ）に示された画面Ｆにおいて、第２の選択受付部Ｏｐ４にて自動ラウドネス「ＯＮ」が選択されたとき、ラウドネス補正が自動で行われ、手動でのラウドネス補正値の調整が無効になる。即ち、信号処理装置１において、操作受付部１７（例えば、ラウドネスボリューム調整用のダイアル等）の操作が無効になる。
【００７０】
本実施形態の情報処理装置Ｚによれば、ラウドネス補正を自動で行うか否かについての選択を受け付ける第２の選択受付部Ｏｐ４が、切替受付部Ｏｐ１及び選択受付部Ｏｐ２と共に同じ再生設定用の画面Ｆ（ユーザインタフェース）に纏めて表示される。従って、ユーザにとって、切替指令の入力（切替受付部Ｏｐ１からの入力）及び選択指令の入力（選択受付部Ｏｐ２からの入力）に加えて、ラウドネス補正を自動で行うか否かを選択するための選択指令の入力（第２の選択受付部Ｏｐ４からの入力）を、１つの画面Ｆで簡単に行うことが可能になる。
【００７１】
［３］他の実施形態
上述した情報処理装置Ｚにおいて、画面Ｆ内の第１表示領域Ｒ１には、切替受付部Ｏｐ１及び選択受付部Ｏｐ２に限らず、常時表示させておくことが好ましい各種設定の受付部が表示されてもよい。又、画面Ｆ内の第２表示領域Ｒ２には、詳細設定受付部Ｏｐ３が選択的に表示される場合に限らず、各種設定（例えば、最適設定Ｉａに含まれる他の詳細設定）の受付部が選択的に表示されてもよい。
【００７２】
上述の実施形態の説明は、すべての点で例示であって、制限的なものではないと考えられるべきである。本発明の範囲は、上述の実施形態ではなく、請求の範囲によって示される。更に、本発明の範囲には、請求の範囲と均等の意味及び範囲内での全ての変更が含まれることが意図される。
【符号の説明】
【００７３】
１  信号処理装置
３  マイク
Ｚ  情報処理装置
Ｆ  画面
１１  入力部
１２  取得部
１３  出力部
１４  切替実行部
１５  記憶部
１６  信号処理部
１７  操作受付部
１８  制御部
１９  通信部
２１Ｌ、２１Ｒ  スピーカ
２２Ｌ、２２Ｒ  スピーカ
４１  表示部
４２  入力部
４３  通信部
４４  記憶部
４５  制御部
４５１  表示処理部
４５２  通信処理部
Ｏｐ１  切替受付部
Ｏｐ２  選択受付部
Ｏｐ３  詳細設定受付部
Ｏｐ４  第２の選択受付部
Ｉａ  最適設定
Ｉｄ  デフォルト設定
Ｐａ  聴取位置
Ｒ１  第１表示領域
Ｒ２  第２表示領域
Ｓｉｎ  入力オーディオ信号
Ｓｏｕｔ  出力オーディオ信号
【図１】
2018189819.tif 000003
【図２】
2018189819.tif 000004
【図３】
2018189819.tif 000005
【図４】
2018189819.tif 000006
【図５】
2018189819.tif 000007
【図６】
2018189819.tif 000008
【図７】
2018189819.tif 000009
【図８】
2018189819.tif 000010
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
信号処理装置からの信号の供給先となるスピーカの切替えを受け付ける切替受付部、及び、前記切替受付部で受け付けられた切替えで選択されるスピーカの特性を最適化するか否かについての選択を受け付ける選択受付部、を同じ画面に同時に表示する表示処理部と、
前記切替受付部及び前記選択受付部で受け付けられた各種設定のための指令を前記信号処理装置に送信する通信処理部と、
を備える、情報処理装置。
【請求項２】
前記表示処理部は、
前記スピーカの特性を最適化する選択が前記選択受付部で受け付けられたとき、最適化のための最適設定に含まれる少なくとも１つの詳細設定の変更を受け付ける詳細設定受付部を、前記切替受付部及び前記選択受付部を表示している同じ画面に表示し、
前記スピーカの特性を最適化しない選択が前記選択受付部で受け付けられたとき、前記画面において前記詳細設定受付部を非表示又は無効にする、請求項１に記載の情報処理装置。
【請求項３】
前記表示処理部は、ラウドネス補正を自動で行うか否かについての選択を受け付ける第２の選択受付部を、前記切替受付部及び前記選択受付部と共に同じ画面に同時に表示する、請求項１又は２に記載の情報処理装置。
【請求項４】
信号処理装置からの信号の供給先となるスピーカの切替えを受け付ける切替受付部、及び、前記切替受付部で受け付けられた切替えで選択されるスピーカの特性を最適化するか否かについての選択を受け付ける選択受付部、を同じ画面に同時に表示し、
前記切替受付部及び前記選択受付部で受け付けられた各種設定のための指令を前記信号処理装置に送信する、情報処理方法。
【請求項５】
前記スピーカの特性を最適化する選択が前記選択受付部で受け付けられたとき、最適化のための最適設定に含まれる少なくとも１つの詳細設定の変更を受け付ける詳細設定受付部を、前記切替受付部及び前記選択受付部を表示している同じ画面に表示し、
前記スピーカの特性を最適化しない選択が前記選択受付部で受け付けられたとき、前記画面において前記詳細設定受付部を非表示又は無効にする、請求項４に記載の情報処理方法。
【請求項６】
ラウドネス補正を自動で行うか否かについての選択を受け付ける第２の選択受付部を、前記切替受付部及び前記選択受付部と共に同じ画面に同時に表示する、請求項４又は５に記載の情報処理方法。
【請求項７】
信号処理装置からの信号の供給先となるスピーカの切替えを受け付ける切替受付部、及び、前記切替受付部で受け付けられた切替えで選択されるスピーカの特性を最適化するか否かについての選択を受け付ける選択受付部、を同じ画面に同時に表示する表示ステップと、
前記切替受付部及び前記選択受付部で受け付けられた各種設定のための指令を前記信号処理装置に送信する通信ステップと、
を情報処理装置に実行させる、プログラム。
【国際調査報告】
2018189819.tif 000011
2018189819.tif 000012